【手続補正書】
【提出日】平成17年5月27日(2005.5.27)
【手続補正１】
【補正対象書類名】明細書
【補正対象項目名】特許請求の範囲
【補正方法】変更
【補正の内容】
【特許請求の範囲】
【請求項１】
基板上に設けられた記録層を有する追記型の光記録媒体に、少なくとも記録パワーおよび基底パワーを含むパルス列パターンにしたがって変調されたレーザビームを照射して、前記記録層の所定の領域に記録マークを形成し、情報を記録するように構成され、情報の記録線速度が高いほど、記録パワーからなるパルスの数が少ないパルス列パターンを用いて、レーザビームのパワーを変調し、記録マークを形成するように構成された光記録媒体への情報記録方法であって、第１の線速度ＶＨ以上の記録線速度で、情報を記録する場合には、前記パルス列パターンの前記パルスの数を１に設定し、第１の線速度ＶＨ未満で、かつ、第２の線速度ＶＬを越える記録線速度ＶＭで、情報を記録する場合に、所定の長さ以下の記録マークを形成するときは、前記パルス列パターンの前記パルスの数を１に設定し、前記所定の長さよりも長い記録マークを形成するときは、前記パルス列パターンの前記パルスの数を２以上に設定することを特徴とする光記録媒体への情報記録方法。
【請求項２】
第１の線速度ＶＨ未満で、かつ、第２の線速度ＶＬを越える記録線速度ＶＭで、情報を記録する場合に、前記所定の長さよりも長い記録マークを形成するときは、形成すべき記録マークの長さが長いほど、前記パルス列パターンの前記パルスの数を大きく設定することを特徴とする請求項１に記載の光記録媒体への情報記録方法。
【請求項３】
第１の線速度ＶＨ未満で、かつ、第２の線速度ＶＬを越える記録線速度ＶＭで、情報を記録する場合に、記録線速度ＶＭが高いほど、前記所定の長さを大きく設定することを特徴とする請求項１または２に記載の光記録媒体への情報記録方法。
【請求項４】
第２の線速度ＶＬで、それぞれの長さを有する記録マークを形成し、情報を記録する場合に、記録マークの長さを表わす数との差が一定になるように、前記パルス列パターンの前記パルスの数を設定することを特徴とする請求項１ないし３のいずれか１項に記載の光記録媒体への情報記録方法。
【請求項５】
前記第１の線速度が、１０ｍ／ｓｅｃ以上に設定されたことを特徴とする請求項１ないし４のいずれか１項に記載の光記録媒体への情報記録方法。
【請求項６】
記録線速度が高いほど、前記基底パワーを高いレベルに設定することを特徴とする請求項１ないし５のいずれか１項に記載の光記録媒体への情報記録方法。
【請求項７】
記録線速度が高いほど、前記基底パワーのレベルと前記記録パワーのレベルの比が高くなるように設定することを特徴とする請求項１ないし６のいずれか１項に記載の光記録媒体への情報記録方法。
【請求項８】
前記光記録媒体に、４５０ｎｍ以下の波長を有するレーザビームを照射して、情報を記録することを特徴とする請求項１ないし７のいずれか１項に記載の光記録媒体への情報記録方法。
【請求項９】
λ／ＮＡ≦６４０ｎｍを満たす開口数ＮＡを有する対物レンズおよび波長λを有するレーザビームを用い、前記対物レンズを介して、前記光記録媒体に、レーザビームを照射して、情報を記録することを特徴とする請求項１ないし７のいずれか１項に記載の光記録媒体への情報記録方法。
【請求項１０】
前記光記録媒体が、さらに、光透過層を備え、前記記録層が、前記基板と前記光透過層の間に形成された第一の反応層と第二の反応層を含み、前記光透過層を介して、レーザビームを照射して、前記第一の反応層に主成分として含まれている元素と、前記第二の反応層に主成分として含まれている元素とを混合させて、記録マークを形成するように構成されたことを特徴とする請求項１ないし９のいずれか１項に記載の光記録媒体への情報記録方法。
【請求項１１】
前記第二の反応層が、前記第一の反応層に接するように、形成されたことを特徴とする請求項１０に記載の光記録媒体への情報記録方法。
【請求項１２】
基板上に設けられた記録層を有する追記型の光記録媒体に、少なくとも記録パワーおよび基底パワーを含むパルス列パターンにしたがって変調されたレーザビームを照射して、前記記録層の所定の領域に記録マークを形成し、情報を記録するように構成され、情報の記録線速度が高いほど、記録パワーからなるパルスの数が少ないパルス列パターンを用いて、レーザビームのパワーを変調し、記録マークを形成するように構成された光記録媒体への情報記録装置であって、第１の線速度ＶＨ以上の記録線速度で、情報を記録する場合には、前記パルス列パターンの前記パルスの数を１に設定し、第１の線速度ＶＨ未満で、かつ、第２の線速度ＶＬを越える記録線速度ＶＭで、情報を記録する場合に、所定の長さ以下の記録マークを形成するときは、前記パルス列パターンの前記パルスの数を１に設定し、前記所定の長さよりも長い記録マークを形成するときは、前記パルス列パターンの前記パルスの数を２以上に設定することを特徴とする光記録媒体への情報記録装置。
【請求項１３】
第１の線速度ＶＨ未満で、かつ、第２の線速度ＶＬを越える記録線速度ＶＭで、情報を記録する場合に、前記所定の長さよりも長い記録マークを形成するときは、形成すべき記録マークの長さが長いほど、前記パルス列パターンの前記パルスの数を大きく設定することを特徴とする請求項１２に記載の光記録媒体への情報記録装置。
【請求項１４】
第１の線速度ＶＨ未満で、かつ、第２の線速度ＶＬを越える記録線速度ＶＭで、情報を記録する場合に、記録線速度ＶＭが高いほど、前記所定の長さを大きく設定することを特徴とする請求項１２または１３に記載の光記録媒体への情報記録装置。
【請求項１５】
第２の線速度ＶＬで、それぞれの長さを有する記録マークを形成し、情報を記録する場合に、記録マークの長さを表わす数との差が一定になるように、前記パルス列パターンの前記パルスの数を設定することを特徴とする請求項１２ないし１４のいずれか１項に記載の光記録媒体への情報記録装置。
【請求項１６】
前記第１の線速度が、１０ｍ／ｓｅｃ以上に設定されたことを特徴とする請求項１２ないし１５のいずれか１項に記載の光記録媒体への情報記録装置。
【請求項１７】
記録線速度が高いほど、前記基底パワーを高いレベルに設定することを特徴とする請求項１２ないし１６のいずれか１項に記載の光記録媒体への情報記録装置。
【請求項１８】
記録線速度が高いほど、前記基底パワーのレベルと前記記録パワーのレベルの比が高くなるように設定することを特徴とする請求項１２ないし１７のいずれか１項に記載の光記録媒体への情報記録装置。
【請求項１９】
前記光記録媒体に、４５０ｎｍ以下の波長を有するレーザビームを照射して、情報を記録することを特徴とする請求項１２ないし１８のいずれか１項に記載の光記録媒体への情報記録装置。
【請求項２０】
λ／ＮＡ≦６４０ｎｍを満たす開口数ＮＡを有する対物レンズおよび波長λを有するレーザビームを用い、前記対物レンズを介して、前記光記録媒体に、レーザビームを照射して、情報を記録することを特徴とする請求項１２ないし１８のいずれか１項に記載の光記録媒体への情報記録装置。
【請求項２１】
基板と前記基板上に形成された少なくとも一層の記録層を備え、少なくとも記録パワーおよび基底パワーを含むパルス列パターンにしたがって変調されたレーザビームが照射されて、前記記録層に記録マークが形成され、情報が記録されるように構成され、情報を記録するのに必要な記録条件が記録条件設定用データとして記録された追記型の光記録媒体であって、前記記録条件が、情報の記録線速度が高いほど、記録パワーからなるパルスの数が少ないパルス列パターンを用いて、レーザビームのパワーを変調するように設定され、さらに、第１の線速度ＶＨ以上の記録線速度で、情報を記録するとき、または、第１の線速度ＶＨ未満で、かつ、第２の線速度ＶＬを越える記録線速度ＶＭで、情報を記録する場合に、所定の長さ以下の記録マークを形成するときは、前記パルス列パターンの前記パルスの数が１になるように設定され、第１の線速度ＶＨ未満で、かつ、第２の線速度ＶＬを越える記録線速度ＶＭで、情報を記録する場合に、前記所定の長さよりも長い記録マークを形成するときは、前記パルス列パターンの前記パルスの数が２以上に設定されていることを特徴とする光記録媒体。
【請求項２２】
第１の線速度ＶＨ以上の記録線速度で、情報を記録するとき、または、第１の線速度ＶＨ未満で、かつ、第２の線速度ＶＬを越える記録線速度ＶＭで、情報を記録する場合に、前記所定の長さよりも長い記録マークを形成するときは、形成すべき記録マークの長さが長いほど、前記パルス列パターンの前記パルスの数が大きくなるように設定されていることを特徴とする請求項２１に記載の光記録媒体。
【請求項２３】
記録線速度が高いほど、前記所定の長さが大きくなるように設定されていることを特徴とする請求項２１または２２に記載の光記録媒体。
【請求項２４】
第２の線速度ＶＬで、それぞれの長さを有する記録マークを形成し、情報を記録する場合に、記録マークの長さを表わす数との差が一定になるように、前記パルス列パターンの前記パルスの数が設定されていることを特徴とする請求項２１ないあい２３のいずれか１項に記載の光記録媒体。
【請求項２５】
前記第１の線速度が、１０ｍ／ｓｅｃ以上に設定されたことを特徴とする請求項２１ないし２４のいずれか１項に記載の光記録媒体。
【請求項２６】
記録線速度が高いほど、前記パルス列パターンの前記基底パワーが高いレベルに設定されていることを特徴とする請求項２１ないし２５のいずれか１項に記載の光記録媒体。
【請求項２７】
記録線速度が高いほど、前記パルス列パターンの前記基底パワーのレベルと前記記録パワーのレベルの比が高くなるように設定されていることを特徴とする請求項２１ないし２６のいずれか１項に記載の光記録媒体。
【請求項２８】
さらに、光透過層を備え、前記記録層が、前記基板と前記光透過層の間に形成された第一の反応層と第二の反応層を含み、前記光透過層を介して、レーザビームが照射されたときに、前記第一の反応層に主成分として含まれている元素と、前記第二の反応層に主成分として含まれている元素とが混合し、記録マークが形成されるように構成されたことを特徴とする請求項２１ないし２７のいずれか１項に記載の光記録媒体。
【請求項２９】
前記第二の反応層が、前記第一の反応層に接するように、形成されたことを特徴とする請求項２８に記載の光記録媒体。
【請求項３０】
前記光透過層が、１０ないし３００ｎｍの厚さを有するように形成されたことを特徴とする請求項２８または２９に記載の光記録媒体。
【手続補正２】
【補正対象書類名】明細書
【補正対象項目名】０００１
【補正方法】変更
【補正の内容】
【０００１】
【技術分野】
本発明は、光記録媒体への情報記録方法、光記録媒体への情報記録装置および光記録媒体に関するものであり、さらに詳細には、高い記録線速度で、追記型の光記録媒体に、情報を記録するのに適した光記録媒体への情報記録方法および情報記録装置ならびに高い記録線速度で、情報を記録するのに適した追記型の光記録媒体に関するものである。
【手続補正３】
【補正対象書類名】明細書
【補正対象項目名】００１１
【補正方法】変更
【補正の内容】
【００１１】
しかしながら、７８０ｎｍの波長λを有するレーザビームを発するＣＤ用の半導体レーザや、６５０ｎｍの波長λを有するレーザビームを発するＤＶＤ用の半導体レーザに比して、４５０ｎｍ以下の波長λを有する半導体レーザは出力が小さく、また、出力が高い半導体レーザは高価であるという問題がある。
【手続補正４】
【補正対象書類名】明細書
【補正対象項目名】００１２
【補正方法】変更
【補正の内容】
【００１２】
このような問題を解決するためには、図８に示された単パルスパターンを用いることによって、記録マークを形成する際に、レーザビームによって記録層に加えられる総熱量を大きくすることが有効と考えられるが、このような場合には、記録線速度によっては、レーザビームによって記録層に加えられる総熱量が過大になり、光記録媒体のトラックに対して垂直な方向における記録マークの幅が広がって、クロストークが増大してしまうという問題があり、とくに、記録マークの長さが長いほど、クロストークの増大が顕著になるという問題があった。
【手続補正５】
【補正対象書類名】明細書
【補正対象項目名】００１３
【補正方法】変更
【補正の内容】
【００１３】
以上のような問題は、複数の反応層を含む記録層に、レーザビームを照射して、照射されたレーザビームによって生じる熱により、複数の反応層を構成する元素を混合させ、記録マークを形成する追記型光記録媒体において、とくに顕著であった。
【手続補正６】
【補正対象書類名】明細書
【補正対象項目名】００１４
【補正方法】変更
【補正の内容】
【００１４】
したがって、本発明は、低い記録パワーのレーザビームを用いて、高い記録線速度で、クロストークを抑制しつつ、追記型の光記録媒体に情報を記録することができる光記録媒体への情報記録方法を提供することを目的とするものである。
【手続補正７】
【補正対象書類名】明細書
【補正対象項目名】００１５
【補正方法】変更
【補正の内容】
【００１５】
本発明の別の目的は、二層以上の反応層を含む記録層を備えた追記型の光記録媒体に、低い記録パワーのレーザビームを用いて、高い記録線速度で、クロストークを抑制しつつ、追記型の光記録媒体に情報を記録することができる光記録媒体への情報記録方法を提供することを目的とすることにある。
【手続補正８】
【補正対象書類名】明細書
【補正対象項目名】００１６
【補正方法】変更
【補正の内容】
【００１６】
本発明の他の目的は、低い記録パワーのレーザビームを用いて、高い記録線速度で、クロストークを抑制しつつ、追記型の光記録媒体に情報を記録することができる光記録媒体への情報記録装置を提供することにある。
【手続補正９】
【補正対象書類名】明細書
【補正対象項目名】００１７
【補正方法】変更
【補正の内容】
【００１７】
本発明のさらに他の目的は、二層以上の反応層を含む記録層を備えた追記型の光記録媒体に、低い記録パワーのレーザビームを用いて、高い記録線速度で、クロストークを抑制しつつ、情報を記録することができる光記録媒体への情報記録装置を提供することにある。
【手続補正１０】
【補正対象書類名】明細書
【補正対象項目名】００１８
【補正方法】変更
【補正の内容】
【００１８】
本発明のさらに他の目的は、低い記録パワーのレーザビームを用いて、高い記録線速度で、クロストークを抑制しつつ、情報を記録することができる追記型の光記録媒体を提供することにある。
【手続補正１１】
【補正対象書類名】明細書
【補正対象項目名】００１９
【補正方法】変更
【補正の内容】
【００１９】
本発明のさらに他の目的は、低い記録パワーのレーザビームを用いて、高い記録線速度で、クロストークを抑制しつつ、情報を記録することができる二層以上の反応層を含む記録層を備えた追記型の光記録媒体を提供することにある。
【手続補正１２】
【補正対象書類名】明細書
【補正対象項目名】００２０
【補正方法】変更
【補正の内容】
【００２０】
【課題を解決するための手段】
本発明のかかる目的は、基板上に設けられた記録層を有する追記型の光記録媒体に、少なくとも記録パワーおよび基底パワーを含むパルス列パターンにしたがって変調されたレーザビームを照射して、前記記録層の所定の領域に記録マークを形成し、情報を記録するように構成され、情報の記録線速度が高いほど、記録パワーからなるパルスの数が少ないパルス列パターンを用いて、レーザビームのパワーを変調し、記録マークを形成するように構成された光記録媒体への情報記録方法であって、第１の線速度ＶＨ以上の記録線速度で、情報を記録する場合には、前記パルス列パターンの前記パルスの数を１に設定し、第１の線速度ＶＨ未満で、かつ、第２の線速度ＶＬを越える記録線速度ＶＭで、情報を記録する場合に、所定の長さ以下の記録マークを形成するときは、前記パルス列パターンの前記パルスの数を１に設定し、前記所定の長さよりも長い記録マークを形成するときは、前記パルス列パターンの前記パルスの数を２以上に設定することを特徴とする光記録媒体への情報記録方法によって達成される。基板上に設けられた記録層を有する追記型の光記録媒体に、少なくとも記録パワーおよび基底パワーを含むパルス列パターンにしたがって変調されたレーザビームを照射して、前記記録層の所定の領域に記録マークを形成し、情報を記録するように構成され、情報の記録線速度が高いほど、記録パワーからなるパルスの数が少ないパルス列パターンを用いて、レーザビームのパワーを変調し、記録マークを形成するように構成された光記録媒体への情報記録方法であって、第１の線速度ＶＨ以上の記録線速度で、情報を記録する場合には、前記パルス列パターンの前記パルスの数を１に設定し、第１の線速度ＶＨ未満で、かつ、第２の線速度ＶＬを越える記録線速度ＶＭで、情報を記録する場合に、所定の長さ以下の記録マークを形成するときは、前記パルス列パターンの前記パルスの数を１に設定し、前記所定の長さよりも長い記録マークを形成するときは、形成すべき記録マークの長さが長いほど、前記パルス列パターンの前記パルスの数を大きく設定することを特徴とする光記録媒体への情報記録方法によって達成される。
【手続補正１３】
【補正対象書類名】明細書
【補正対象項目名】００２１
【補正方法】変更
【補正の内容】
【００２１】
本発明によれば、情報の記録線速度が高いほど、記録パワーからなるパルスの数が少ないパルス列パターンを用いて、レーザビームのパワーを変調し、記録マークを形成するように構成され、第１の線速度ＶＨ以上の記録線速度で、情報を記録する場合には、パルス列パターンのパルスの数を１に設定し、第１の線速度ＶＨ未満で、かつ、第２の線速度ＶＬを越える記録線速度ＶＭで、情報を記録する場合に、所定の長さ以下の記録マークを形成するときは、パルス列パターンのパルスの数を１に設定し、所定の長さよりも長い記録マークを形成するときは、パルス列パターンのパルスの数を２以上に設定するように構成されているから、記録線速度が高い場合にも、低い記録パワーのレーザビームを用いて、情報を記録することが可能になるとともに、記録線速度が低い場合に、クロストークを抑制することが可能になり、したがって、記録線速度が高い場合にも、出力が比較的低い半導体レーザを用いることが可能になる。
【手続補正１４】
【補正対象書類名】明細書
【補正対象項目名】００２２
【補正方法】変更
【補正の内容】
【００２２】
本発明の好ましい実施態様においては、第１の線速度ＶＨ未満で、かつ、第２の線速度ＶＬを越える記録線速度ＶＭで、情報を記録する場合に、所定の長さ以下の記録マークを形成するときは、前記パルス列パターンの前記パルスの数を１に設定し、前記所定の長さよりも長い記録マークを形成するときは、形成すべき記録マークの長さが長いほど、前記パルス列パターンの前記パルスの数を大きく設定するように構成されている。
本発明のさらに好ましい実施態様においては、第１の線速度ＶＨ未満で、かつ、第２の線速度ＶＬを越える記録線速度ＶＭで、情報を記録する場合に、記録線速度ＶＭが高いほど、前記所定の長さを大きく設定するように構成されている。
【手続補正１５】
【補正対象書類名】明細書
【補正対象項目名】００２３
【補正方法】変更
【補正の内容】
【００２３】
本発明のさらに好ましい実施態様においては、第２の線速度ＶＬで、それぞれの長さを有する記録マークを形成し、情報を記録する場合に、記録マークの長さを表わす数との差が一定になるように、前記パルス列パターンの前記パルスの数を設定するように構成されている。
【手続補正１６】
【補正対象書類名】明細書
【補正対象項目名】００２４
【補正方法】変更
【補正の内容】
【００２４】
本発明のさらに好ましい実施態様においては、前記第１の線速度が、１０ｍ／ｓｅｃ以上に設定されている。
【手続補正１７】
【補正対象書類名】明細書
【補正対象項目名】００２５
【補正方法】変更
【補正の内容】
【００２５】
本発明のさらに好ましい実施態様においては、記録線速度が高いほど、前記基底パワーを高いレベルに設定するように構成されている。
【手続補正１８】
【補正対象書類名】明細書
【補正対象項目名】００２６
【補正方法】変更
【補正の内容】
【００２６】
本発明のさらに好ましい実施態様においては、記録線速度が高いほど、前記基底パワーのレベルと前記記録パワーのレベルの比が高くなるように設定される。
【手続補正１９】
【補正対象書類名】明細書
【補正対象項目名】００２７
【補正方法】変更
【補正の内容】
【００２７】
本発明のさらに好ましい実施態様においては、前記光記録媒体に、４５０ｎｍ以下の波長を有するレーザビームを照射して、情報を記録するように構成されている。
【手続補正２０】
【補正対象書類名】明細書
【補正対象項目名】００２８
【補正方法】変更
【補正の内容】
【００２８】
本発明のさらに好ましい実施態様においては、λ／ＮＡ≦６４０ｎｍを満たす開口数ＮＡを有する対物レンズおよび波長λを有するレーザビームを用い、前記対物レンズを介して、前記光記録媒体に、レーザビームを照射して、情報を記録するように構成されている。
【手続補正２１】
【補正対象書類名】明細書
【補正対象項目名】００２９
【補正方法】変更
【補正の内容】
【００２９】
本発明の好ましい実施態様においては、前記光記録媒体が、さらに、光透過層を備え、前記記録層が、前記基板と前記光透過層の間に形成された第一の反応層と第二の反応層を含み、前記光透過層を介して、レーザビームを照射して、前記第一の反応層に主成分として含まれている元素と、前記第二の反応層に主成分として含まれている元素とを混合させて、記録マークを形成するように構成されている。
【手続補正２２】
【補正対象書類名】明細書
【補正対象項目名】００３０
【補正方法】変更
【補正の内容】
【００３０】
本発明のさらに好ましい実施態様においては、前記第二の反応層が、前記第一の反応層に接するように、形成されている。
【手続補正２３】
【補正対象書類名】明細書
【補正対象項目名】００３１
【補正方法】変更
【補正の内容】
【００３１】
本発明の前記目的はまた、基板上に設けられた記録層を有する追記型の光記録媒体に、少なくとも記録パワーおよび基底パワーを含むパルス列パターンにしたがって変調されたレーザビームを照射して、前記記録層の所定の領域に記録マークを形成し、情報を記録するように構成され、情報の記録線速度が高いほど、記録パワーからなるパルスの数が少ないパルス列パターンを用いて、レーザビームのパワーを変調し、記録マークを形成するように構成された光記録媒体への情報記録装置であって、第１の線速度ＶＨ以上の記録線速度で、情報を記録する場合には、前記パルス列パターンの前記パルスの数を１に設定し、第１の線速度ＶＨ未満で、かつ、第２の線速度ＶＬを越える記録線速度ＶＭで、情報を記録する場合に、所定の長さ以下の記録マークを形成するときは、前記パルス列パターンの前記パルスの数を１に設定し、前記所定の長さよりも長い記録マークを形成するときは、前記パルス列パターンの前記パルスの数を２以上に設定することを特徴とする光記録媒体への情報記録装置によって達成される。
【手続補正２４】
【補正対象書類名】明細書
【補正対象項目名】００３２
【補正方法】変更
【補正の内容】
【００３２】
本発明の好ましい実施態様においては、第１の線速度ＶＨ未満で、かつ、第２の線速度ＶＬを越える記録線速度ＶＭで、情報を記録する場合に、所定の長さ以下の記録マークを形成するときは、前記パルス列パターンの前記パルスの数を１に設定し、前記所定の長さよりも長い記録マークを形成するときは、形成すべき記録マークの長さが長いほど、前記パルス列パターンの前記パルスの数を大きく設定するように構成されている。
本発明のさらに好ましい実施態様においては、第１の線速度ＶＨ未満で、かつ、第２の線速度ＶＬを越える記録線速度ＶＭで、情報を記録する場合に、記録線速度ＶＭが高いほど、前記所定の長さを大きく設定するように構成されている。
【手続補正２５】
【補正対象書類名】明細書
【補正対象項目名】００３３
【補正方法】変更
【補正の内容】
【００３３】
本発明のさらに好ましい実施態様においては、第２の線速度ＶＬで、それぞれの長さを有する記録マークを形成し、情報を記録する場合に、記録マークの長さを表わす数との差が一定になるように、前記パルス列パターンの前記パルスの数を設定するように構成されている。
【手続補正２６】
【補正対象書類名】明細書
【補正対象項目名】００３４
【補正方法】変更
【補正の内容】
【００３４】
本発明のさらに好ましい実施態様においては、前記第１の線速度が、１０ｍ／ｓｅｃ以上に設定されている。
【手続補正２７】
【補正対象書類名】明細書
【補正対象項目名】００３５
【補正方法】変更
【補正の内容】
【００３５】
本発明のさらに好ましい実施態様においては、記録線速度が高いほど、前記基底パワーを高いレベルに設定するように構成されている。
【手続補正２８】
【補正対象書類名】明細書
【補正対象項目名】００３６
【補正方法】変更
【補正の内容】
【００３６】
本発明のさらに好ましい実施態様においては、記録線速度が高いほど、前記基底パワーのレベルと前記記録パワーのレベルの比が高くなるように設定される。
【手続補正２９】
【補正対象書類名】明細書
【補正対象項目名】００３７
【補正方法】変更
【補正の内容】
【００３７】
本発明のさらに好ましい実施態様においては、前記光記録媒体に、４５０ｎｍ以下の波長を有するレーザビームを照射して、情報を記録するように構成されている。
【手続補正３０】
【補正対象書類名】明細書
【補正対象項目名】００３８
【補正方法】変更
【補正の内容】
【００３８】
本発明のさらに好ましい実施態様においては、λ／ＮＡ≦６４０ｎｍを満たす開口数ＮＡを有する対物レンズおよび波長λを有するレーザビームを用い、前記対物レンズを介して、前記光記録媒体に、レーザビームを照射して、情報を記録するように構成されている。
【手続補正３１】
【補正対象書類名】明細書
【補正対象項目名】００３９
【補正方法】変更
【補正の内容】
【００３９】
本発明の前記目的はまた、基板と前記基板上に形成された少なくとも一層の記録層を備え、少なくとも記録パワーおよび基底パワーを含むパルス列パターンにしたがって変調されたレーザビームが照射されて、前記記録層に記録マークが形成され、情報が記録されるように構成され、情報を記録するのに必要な記録条件が記録条件設定用データとして記録された追記型の光記録媒体であって、前記記録条件が、情報の記録線速度が高いほど、記録パワーからなるパルスの数が少ないパルス列パターンを用いて、レーザビームのパワーを変調するように設定され、さらに、第１の線速度ＶＨ以上の記録線速度で、情報を記録するとき、または、第１の線速度ＶＨ未満で、かつ、第２の線速度ＶＬを越える記録線速度ＶＭで、情報を記録する場合に、所定の長さ以下の記録マークを形成するときは、前記パルス列パターンの前記パルスの数が１になるように設定され、第１の線速度ＶＨ未満で、かつ、第２の線速度ＶＬを越える記録線速度ＶＭで、情報を記録する場合に、前記所定の長さよりも長い記録マークを形成するときは、前記パルス列パターンの前記パルスの数が２以上に設定されていることを特徴とする光記録媒体によって達成される。
【手続補正３２】
【補正対象書類名】明細書
【補正対象項目名】００４０
【補正方法】変更
【補正の内容】
【００４０】
本発明の好ましい実施態様においては、第１の線速度ＶＨ以上の記録線速度で、情報を記録するとき、または、第１の線速度ＶＨ未満で、かつ、第２の線速度ＶＬを越える記録線速度ＶＭで、情報を記録する場合に、前記所定の長さよりも長い記録マークを形成するときは、形成すべき記録マークの長さが長いほど、前記パルス列パターンの前記パルスの数が大きくなるように設定されている。
本発明のさらに実施態様においては、記録線速度が高いほど、前記所定の長さが大きくなるように設定されている。
【手続補正３３】
【補正対象書類名】明細書
【補正対象項目名】００４１
【補正方法】変更
【補正の内容】
【００４１】
本発明のさらに好ましい実施態様においては、第２の線速度ＶＬで、それぞれの長さを有する記録マークを形成し、情報を記録する場合に、記録マークの長さを表わす数との差が一定になるように、前記パルス列パターンの前記パルスの数が設定されている。
本発明のさらに好ましい実施態様においては、前記第１の線速度が、１０ｍ／ｓｅｃ以上に設定されている。
本発明のさらに好ましい実施態様においては、記録線速度が高いほど、前記パルス列パターンの前記基底パワーが高いレベルに設定されている。
本発明のさらに好ましい実施態様においては、記録線速度が高いほど、前記パルス列パターンの前記基底パワーのレベルと前記記録パワーのレベルの比が高くなるように設定されている。
本発明の好ましい実施態様においては、光記録媒体は、さらに、光透過層を備え、前記記録層が、前記基板と前記光透過層の間に形成された第一の反応層と第二の反応層を含み、前記光透過層を介して、レーザビームが照射されたときに、前記第一の反応層に主成分として含まれている元素と、前記第二の反応層に主成分として含まれている元素とが混合し、記録マークが形成されるように構成されている。
本発明のさらに好ましい実施態様においては、前記第二の反応層が、前記第一の反応層に接するように、形成されている。
本発明のさらに好ましい実施態様においては、前記光透過層が、１０ないし３００ｎｍの厚さを有するように形成されている。
【手続補正３４】
【補正対象書類名】明細書
【補正対象項目名】０１３７
【補正方法】変更
【補正の内容】
【０１３７】
【発明の効果】
本発明によれば、低い記録パワーのレーザビームを用いて、高い記録線速度で、クロストークを抑制しつつ、追記型の光記録媒体に情報を記録することができる光記録媒体への情報記録方法を提供することが可能になる。
【手続補正３５】
【補正対象書類名】明細書
【補正対象項目名】０１３８
【補正方法】変更
【補正の内容】
【０１３８】
また、本発明によれば、二層以上の反応層を含む記録層を備えた追記型の光記録媒体に、低い記録パワーのレーザビームを用いて、高い記録線速度で、クロストークを抑制しつつ、追記型の光記録媒体に情報を記録することができる光記録媒体への情報記録方法を提供することが可能になる。
さらに、本発明によれば、低い記録パワーのレーザビームを用いて、高い記録線速度で、クロストークを抑制しつつ、追記型の光記録媒体に情報を記録することができる光記録媒体への情報記録装置を提供することが可能になる。
また、本発明によれば、二層以上の反応層を含む記録層を備えた追記型の光記録媒体に、低い記録パワーのレーザビームを用いて、高い記録線速度で、クロストークを抑制しつつ、情報を記録することができる光記録媒体への情報記録装置を提供することが可能になる。
さらに、本発明によれば、低い記録パワーのレーザビームを用いて、高い記録線速度で、クロストークを抑制しつつ、情報を記録することができる追記型の光記録媒体を提供することが可能になる。
また、本発明によれば、低い記録パワーのレーザビームを用いて、高い記録線速度で、クロストークを抑制しつつ、情報を記録することができる二層以上の反応層を含む記録層を備えた追記型の光記録媒体を提供することが可能になる。